【手続補正書】
【提出日】平成16年1月21日(2004.1.21)
【手続補正１】
【補正対象書類名】明細書
【補正対象項目名】特許請求の範囲
【補正方法】変更
【補正の内容】
【特許請求の範囲】
【請求項１】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段と
を備え、
前記入力手段は、前記第２の印刷手段により前記画像を印刷するか否かを入力可能である
ことを特徴とする画像印刷装置。
【請求項２】
前記第１の印刷手段は、シアン、マゼンタ、イエロー、またはブラックを含む標準色を印刷し、
前記第２の印刷手段は、金色または銀色を含む特殊色を印刷する
ことを特徴とする請求項１に記載の画像印刷装置。
【請求項３】
前記撮影手段により前記被写体が撮影される前、または、前記編集手段により前記画像が編集される前に、前記入力手段により前記第２の印刷手段で前記画像を印刷しないと入力された場合、前記編集手段により前記特殊色が使用されることを禁止するように制御する制御手段を
さらに備えることを特徴とする請求項２に記載の画像印刷装置。
【請求項４】
前記第１の印刷手段により前記画像が印刷される前に、前記入力手段により前記第２の印刷手段で前記画像を印刷しないと入力された場合、前記編集手段により前記特殊色を使用して編集された画像の特殊色を特定の標準色に変換する変換手段
をさらに備えることを特徴とする請求項２に記載の画像印刷装置。
【請求項５】
前記第２の印刷手段で前記画像を印刷する前に、前記第２の印刷手段の異常を検出する異常検出手段と、
前記異常検出手段により前記第２の印刷手段の異常が検出された場合、前記編集手段により前記特殊色を使用して編集された画像の特殊色を特定の標準色に変換する変換手段と
をさらに備えることを特徴とする請求項２に記載の画像印刷装置。
【請求項６】
前記入力手段は、前記画像に前記特殊色を使用した画像がある場合、前記変換手段により前記特殊色を特定の標準色に変換するか否かを入力可能である
ことを特徴とする請求項５に記載の画像印刷装置。
【請求項７】
前記第１の印刷手段は、シアン、マゼンタ、イエロー、およびブラックを含む標準色を印刷し、
前記第２の印刷手段は、ライトシアン、ライトマゼンタ、およびダークイエローのうち、少なくとも１色を含む色を印刷する
ことを特徴とする請求項１に記載の画像印刷装置。
【請求項８】
前記入力手段は、前記撮影手段により前記被写体が撮影される前、前記編集手段により前記画像が編集される前、または、前記第１の印刷手段により前記画像が印刷される前に、前記第２の印刷手段で前記画像を印刷するか否かを入力可能である
ことを特徴とする請求項１乃至７のいずれかに記載の画像印刷装置。
【請求項９】
前記撮影手段により前記被写体が撮影される前に、前記入力手段により前記第２の印刷手段で前記画像を印刷しないと入力された場合、前記画像を印刷する料金を、前記入力手段により前記第２の印刷手段で前記画像印刷すると入力された場合に較べて安く設定する料金設定手段を
さらに備えることを特徴とする請求項１乃至８のいずれかに記載の画像印刷装置。
【請求項１０】
前記撮影手段により前記被写体が撮影される時間を設定する撮影時間設定手段と、
前記編集手段により前記画像が編集される時間を設定する編集時間設定手段と、
前記記憶手段により前記画像が記憶される画像枚数を設定する画像枚数設定手段と、
前記撮影手段により前記被写体が撮影される前、または、前記編集手段により前記画像が編集される前に、前記入力手段により前記第２の印刷手段で前記画像を入力しないと判断された場合、
前記撮影時間設定手段により前記被写体が撮影される時間を、前記入力手段により前記第２の印刷手段で前記画像印刷すると入力された場合に較べて長く設定するか、
前記編集時間設定手段により前記画像が編集される時間を、前記入力手段により前記第２の印刷手段で前記画像印刷すると入力された場合に較べて長く設定するか、
または、前記画像枚数設定手段により前記画像を記憶する画像枚数を、前記入力手段により前記第２の印刷手段で前記画像印刷すると入力された場合に較べて多く設定するかを選択する選択手段と
をさらに備えることを特徴とする請求項１乃至９のいずれかに記載の画像印刷
装置。
【請求項１１】
前記第２の印刷手段で前記画像を印刷する前に、前記第２の印刷手段の異常を検出する異常検出手段を
さらに備え、
前記表示手段は、前記異常検出手段により前記第２の印刷手段の異常が検出された場合、前記第２の印刷手段の異常を表示する
ことを特徴とする請求項１に記載の画像印刷装置。
【請求項１２】
前記画像印刷装置は、前記料金受け付け手段、前記撮影手段、前記表示手段、前記編集手段、前記記憶手段、前記第１の印刷手段、または前記第２の印刷手段に対して設定を行うためのメンテナンスモードを有し、
前記入力手段は、前記メンテナンスモードにおいて、前記第２の印刷手段で前記画像を印刷するか否かを入力する
ことを特徴とする請求項１に記載の画像印刷装置。
【請求項１３】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段と
を備えた画像印刷装置の画像印刷方法であって、
前記第２の印刷手段により前記画像を印刷するか否かを、前記入力手段により入力する
ことを特徴とする画像印刷方法。
【請求項１４】
投入された料金を受け付ける料金受け付け手段と、
被写体を撮影する撮影手段と、
撮影した画像を表示する表示手段と、
表示した画像を編集する編集手段と、
操作を入力する入力手段と、
撮影した画像並びに編集した画像を記憶する記憶手段と、
記憶した画像のうち、前記撮影した画像並びに編集した画像の一部を印刷する第１の印刷手段と、
前記第１の印刷手段により印刷された後、上書き印刷する第２の印刷手段とを備えた画像印刷装置用のコンピュータに、
前記第２の印刷手段により前記画像を印刷するか否かを、前記入力手段からの入力に基づいて判定させる処理を実行させる
ことを特徴とするプログラム。
【請求項１５】
被写体を撮影する撮影手段と、
撮影する被写体の背後に位置し、背景を提供する背景提供手段と、
撮影した画像を表示する表示手段と、
表示した画像を編集する編集手段と、
操作を入力する手段と、
撮影した画像並びに編集した画像を記憶する記憶手段と、
複数の印字ユニットを有し、記憶した画像であって、撮影した画像並びに編集した画像の一部を印刷する印刷手段と
を備える画像印刷装置において、
前記編集手段により使用される色の種類に基づいて、前記編集手段により編集された画像の画素に、それぞれ印刷属性を付加する印刷属性付加手段と、
前記画素の印刷属性を読み取る印刷属性読み取り手段と、
前記印刷属性読み取り手段により読み取られた前記画素の印刷属性に基づいて、前記画像の色領域の印刷を制御する印刷制御手段と
を備えることを特徴とする画像印刷装置。
【請求項１６】
前記色の種類は、シアン、マゼンタ、イエロー、もしくはブラックを含む標準色、または、金色もしくは銀色を含む特殊色とされる
ことを特徴とする請求項１５に記載の画像印刷装置。
【請求項１７】
前記印刷手段は、前記標準色並びに前記特殊色を印刷し、
前記表示手段は、前記標準色の編集アイテムに加えて前記特殊色の編集アイテムを表示し、
前記編集手段は、前記入力手段により選択された前記編集アイテムに基づいて前記画像を編集する
ことを特徴とする請求項１６に記載の画像印刷装置。
【請求項１８】
前記印刷属性読み取り手段により読み取られた前記画素の印刷属性に基づいて、前記画像の色領域を前記標準色で印刷するか、もしくは前記特殊色で印刷するかを判断する印刷判断手段を
さらに備えることを特徴とする請求項１６または請求項１７に記載の画像印刷装置。
【請求項１９】
前記印刷制御手段は、前記印刷判断手段により前記画像の色領域を前記標準色で印刷すると判断された場合、前記画像の色領域を前記標準色の印刷ユニットでの印刷を制御し、前記印刷判断手段により前記画像の色領域を前記特殊色で印刷すると判断された場合、前記画像の色領域を前記特殊色の印刷ユニットでの印刷を制御する
ことを特徴とする請求項１８に記載の画像印刷装置。
【請求項２０】
前記背景提供手段が提供する背景は、予め設定された複数の背景色を有し、
前記撮影手段により撮影された画像の背景色が特定の背景色であった場合、前記特定の背景色を特定の特殊色に変換する変換手段をさらに備え、
前記印刷属性付加手段は、前記変換手段により前記画像の背景色が前記特殊色に変換された後、前記画像の背景色に印刷属性を付加する
ことを特徴とする請求項１５乃至１８のいずれかに記載の画像印刷装置。
【請求項２１】
前記編集手段により前記画像が編集された後、前記画像の背景色を前記特定の特殊色に変換するか否かを判断する変換判断手段を
さらに備え、
前記変換手段は、前記変換判断手段により前記画像の背景色を前記特定の特殊色に変換すると判断された場合、前記画像の背景色を前記特定の特殊色に変換する
ことを特徴とする請求項２０に記載の画像処理装置。
【請求項２２】
前記画像の色領域のうちの所定の部分を指定する指定手段をさらに備え、
前記変換手段は、前記指定手段により指定された前記画像の色領域を、前記特殊色に変換する
ことを特徴とする請求項２０または請求項２１に記載の画像処理装置。
【請求項２３】
被写体を撮影する撮影手段と、
撮影する被写体の背後に位置し、背景を提供する背景提供手段と、
撮影した画像を表示する表示手段と、
表示した画像を編集する編集手段と、
操作を入力するための入力手段と、
複数の印字ユニットを有し、前記撮影した画像並びに編集した画像の一部を印刷する印刷手段と
を備える画像印刷装置の画像印刷方法であって、
前記編集手段により使用される色の種類に基づいて、前記編集手段により編集された画像の画素に、それぞれ印刷属性を付加する印刷属性付加ステップと、
前記画素の印刷属性を読み取る印刷属性読み取りステップと、
前記印刷属性読み取りステップの処理により読み取られた画素の印刷属性に基づいて、前記画像の色領域の印刷を制御する印刷制御ステップと
を含むことを特徴とする画像印刷方法。
【請求項２４】
被写体を撮影する撮影手段と、
撮影する被写体の背後に位置し、背景を提供する背景提供手段と、
撮影した画像を表示する表示手段と、
表示した画像を編集する編集手段と、
操作を入力する入力手段と、
撮影した画像並びに編集した画像を記憶する記憶手段と、
複数の印字ユニットを有し、記憶した画像であって、前記撮影した画像並びに編集した画像の一部を印刷する印刷手段と
を備える画像印刷装置用のコンピュータに、
前記編集手段により使用される色の種類に基づいて、前記編集手段により編集された画像の画素に、それぞれ印刷属性を付加する印刷属性付加ステップと、
前記画素の印刷属性を読み取る印刷属性読み取りステップと、
前記印刷属性読み取りステップの処理により読み取られた画素の印刷属性に基づいて、前記画像の色領域の印刷を制御する印刷制御ステップと
を含む実行を処理させることを特徴とするプログラム。
【請求項２５】
請求項１乃至１２、または、請求項１５乃至２２のいずれかに記載の画像印刷装置により画像が印刷されたことを特徴とする印刷媒体。